(57)【要約】      （修正有）【課題】複数のコンクリートブロックを舗設した際に隣接するコンクリートブロックとの間で嵌合することにより、垂直方向及び水平方向への移動を抑制する敷設用又は法面用のコンクリートブロックを提供する。【解決手段】平面視略正方形又は長方形の敷設用又は法面用コンクリートブロック１０であって、少なくともコンクリートブロックの正面及び背面上に凹凸形状を有し、コンクリートブロックの正面の中央部分が上方において突出しており、コンクリートブロックの背面の左右両端部分が上方において突出し、かつ中央部分が隣接するコンクリートブロックの正面の中央部分の突出部と嵌合し得る形状の凹状を有する敷設又は法面用コンクリートブロック。【選択図】図１
0003138736.tif 000002
【実用新案登録請求の範囲】
【請求項１】
平面視略正方形又は長方形の敷設用又は法面用コンクリートブロックであって、少なくとも該コンクリートブロックの正面及び背面上に凹凸形状を有し、該コンクリートブロックの正面の中央部分が上方において突出しており、該コンクリートブロックの背面の左右両端部分が上方において突出し、かつ中央部分が隣接するコンクリートブロックの正面の中央部分の突出部と嵌合し得る形状の凹状を有することを特徴とする敷設又は法面用コンクリートブロック。
【請求項２】
前記正面の中央部分が底面より略１／３の箇所より斜面を形成しながら上方において突出しており、前記背面の中央部分が該突出する箇所と嵌合し得る形状の凹状を有することを特徴とする請求項１記載の敷設又は法面用コンクリートブロック。
【請求項３】
前記敷設又は法面用コンクリートブロックが平面視正方形であって、縦２５０〜３５０×横２５０〜３５０ｍｍ×高５０〜１２０ｍｍであって、正面の中央部分が２０〜５０ｍｍ突出していることを特徴とする請求項１又は２記載の敷設又は法面用コンクリートブロック。
【請求項４】
前記コンクリートブロックの側面のいずれか一方の中央部分が上方において突出しており、該コンクリートブロックの他の側面の左右両端部分が上方において突出し、かつ中央部分が隣接するコンクリートブロックの正面の中央部分の突出部と嵌合し得る形状の凹状を有することを特徴とする請求項１〜３のいずれか一に記載された敷設又は法面用コンクリートブロック。
【請求項５】
前記コンクリートブロックの上面全体が、コルゲート形状に成形されていることを特徴とする請求項１〜４のいずれか一に記載された敷設又は法面用コンクリートブロック。
【考案の詳細な説明】
【技術分野】
【０００１】
本考案は、敷設又は法面用コンクリートブロックに関し、より詳しくは、複数のコンクリートブロックを舗設した際に垂直方向及び水平方向への移動を抑制するコンクリートブロックに関する。
【背景技術】
【０００２】
従来、舗道や法面などにおいて、砂又はモルタルなどの下地上に平面視略正方形又は長方形のコンクリートブロックが敷設されて使用されている。
かかるコンクリートブロックは隣接するブロックとの間に隙間が生じる。そのため、歩行者や車両の通行によってコンクリートブロックの一部が水平方向に移動する場合があった。
【０００３】
このようなコンクリートブロックの移動を防止するために、図４に示すコンクリートブロックが使用されていた。図４において（Ａ）は平面図、（Ｂ）は側面図である。図４に示す如く、コンクリートブロックの右側面には中央部分に突出部４１が形成されている。また左側面は左右両端部分４２，４２が突出しており、中央部分４３は右側面の突出部４１と嵌合するような形状に形成されている。
【０００４】
また、かかるコンクリートブロックの正面には左右両端部分に突出部４５，４５が形成され、中央部分は凹状部４６が形成されている。また背面は中央部分に突出部４７が形成され、正面の凹状部４６と嵌合するような形状に形成されている。
【０００５】
しかし、このようなコンクリートブロックは舗設した際に隣接するコンクリートブロックとの間で嵌合することにより水平方向への移動を抑制することができるが、垂直方向への移動を抑制することができない。このようなコンクリートブロックは使用によりブロックの一部に偏った荷重がかかったり、あるいはブロックの下方の一部が地盤沈下によって、傾いたり、ブロック全体が沈降する等の現象が生じた。このようなブロックの垂直方向への移動により歩行や車両の走行を妨害する問題が生じていた。
【０００６】
他方、垂直方向への移動を抑制するブロックも知られていた。特許文献１の図５には側面に相互に嵌合する凹凸形状を有することにより、敷設されたブロックにおいて垂直方向へ移動を抑制することができる。
【０００７】
しかし、このようなブロックでは敷設された隣接するブロックとの間における水平方向への移動を抑制することができない。
【０００８】
またコンクリートブロックを法面施工に用いる際には、雨水などの排水性が要求される。上述のように隣接するブロック間では面取りが施されていることから水間から雨水等が下地内に浸入する。浸入した雨水などにより下地の地盤が緩みブロックの脱落が生じる可能性があった。
【特許文献１】国際公開第ＷＯ００／６１８６８号
【考案の開示】
【考案が解決しようとする課題】
【０００９】
本考案は、複数のコンクリートブロックを舗設した際に隣接するコンクリートブロックとの間で嵌合することにより垂直方向及び水平方向への移動を抑制する敷設用又は法面用のコンクリートブロックを提供することを目的とする。
【課題を解決するための手段】
【００１０】
本考案は、上記課題を解決するために以下の構成を採用した。
（１）本考案は、平面視略正方形又は長方形の敷設用又は法面用コンクリートブロックであって、少なくとも該コンクリートブロックの正面及び背面上に凹凸形状を有し、該コンクリートブロックの正面の中央部分が上方において突出しており、該コンクリートブロックの背面の左右両端部分が上方において突出し、かつ中央部分が隣接するコンクリートブロックの正面の中央部分の突出部と嵌合し得る形状の凹状を有することを特徴とする敷設又は法面用コンクリートブロックである。
【００１１】
このような構成によってコンクリートブロックを複数敷設した際に、ブロックの垂直方向及び水平方向への移動を抑制することができる。
平面視略正方形状に形成した場合は、コンクリートブロックの列を列毎に正面と背面の方向を逆にすることによって、隣接するコンクリートブロックの正面同士及び背面同士を嵌合させても良い。この場合は、コンクリートブロックが列毎に正面長の半分ずれて敷設されるので、正面の突出部は、隣接するブロックの正面の左右両端部分を覆うように嵌合する。
【００１２】
（２）前記正面の中央部分が底面より略１／３の箇所より斜面を形成しながら上方において突出しており、前記背面の中央部分が該突出する箇所と嵌合し得る形状の凹状を有することを特徴とする上記（１）記載の敷設又は法面用コンクリートブロックである。
【００１３】
（３）前記敷設又は法面用コンクリートブロックが、縦２５０〜３５０×横２５０〜３５０ｍｍ×高５０〜１２０ｍｍであって、正面の中央部分が２０〜５０ｍｍ突出していることを特徴とする上記（１）又は（２）記載の敷設又は法面用コンクリートブロックである。
【００１４】
本考案において、正面の中央部分の突出が２０〜５０ｍｍであるのが好ましい。中央部分の突出が２０ｍｍ未満では、十分に垂直方向への移動を抑制することができないからである。また中央部分の突出が５０ｍｍを超えると施工が煩雑になり好ましくないからである。
【００１５】
（４）前記コンクリートブロックの側面のいずれか一方の中央部分が上方において突出しており、該コンクリートブロックの他の側面の左右両端部分が上方において突出し、かつ中央部分が隣接するコンクリートブロックの正面の中央部分の突出部と嵌合し得る形状の凹状を有することを特徴とする上記（１）〜（３）のいずれか一に記載された敷設又は法面用コンクリートブロックである。
【００１６】
（５）前記コンクリートブロックの上面全体が、コルゲート形状に成形されていることを特徴とする上記（１）〜（４）のいずれか一に記載された敷設又は法面用コンクリートブロックである。
【考案の効果】
【００１７】
本考案に係る敷設用又は法面用のコンクリートブロックは、複数のブロックを舗設した際に隣接するコンクリートブロックとの間で嵌合することにより垂直方向及び水平方向への移動を抑制するという効果を奏する。
【考案を実施するための最良の形態】
【００１８】
以下、図面に則して本考案にかかる実施の形態を説明する。以下の形態は本考案に係る敷設又は法面用コンクリートブロックの一例であって、本考案を限定するものではない。
【００１９】
実施の形態１
図１は本考案に係る敷設又は法面用コンクリートブロックの一例を示す図である。（Ａ）は平面図、（Ｂ）は正面図、（Ｃ）は側面図である。
本実施の形態に係る敷設又は法面用コンクリートブロック１０は、平面視略正方形のコンクリートブロックであって、かかるコンクリートブロックの正面の中央部分が上方において突出している。かかる突出した部分が本実施形態１における突出部１１である。かかる突出部１１は、（Ｂ）に示されるようにブロックの底面１６より略１／３の箇所より斜面を形成しながら上方に向かって突出形成されている。一方、正面の左右両端部分は底面１６より略１／３の箇所より斜面を形成しながら切削されて凹状部１２，１２を形成している。
【００２０】
かかる突出部１１が形成された反対側の背面においては、面の左右両端部分が上方において突出している。かかる突出した部分が本実施形態１における突出部１４，１４である。かかる突出部１４，１４は、上記正面の左右両端部分に形成された凹状部１２，１２と面接触することになる。また背面の中央部分はブロックの正面の中央部分の突出部１１と嵌合し得る形状の凹状部１５を形成している。
【００２１】
図２は、本実施形態１に係る敷設又は法面用コンクリートブロックを敷設した状態を示す平面舗設図である。一のコンクリートブロックは正面に設けられた突出部が隣接するブロックの凹状部を覆うように嵌合しており、同じコンクリートブロックの背面に設けられた凹状部は反対側に隣接するブロックの正面突出部に覆われている。
【００２２】
さらに一のコンクリートブロックの背面の左右両端部分における凸状部は、隣接するコンクリートブロックの正面の左右両端部分における切削された凹状部を覆うように嵌合されている。さらに一のコンクリートブロックの正面の左右両端部分における切削された凹状部は他のコンクリートブロックによって覆われている。
【００２３】
特に図２に示す如く、コンクリートブロックを正面と背面を列毎に逆に配置することにより、格子状にコンクリートブロックを嵌合させることができる。このように隣接するコンクリートブロックと正面及び背面において嵌合することにより、ブロック相互間における垂直方向及び水平方向へのブロックの移動が抑制される。
【００２４】
実施の形態２
図３は本考案に係る敷設又は法面用コンクリートブロックの一例を示す図である。（Ａ）は平面図、（Ｂ）は右側面図である。
本実施の形態２に係る敷設又は法面用コンクリートブロック２０は、平面視略直方形のコンクリートブロックであって、かかるコンクリートブロックの正面の中央部分が上方において突出している。かかる突出した部分が本実施形態２における突出部２１である。かかる突出部２１は、（Ｂ）に示されるようにブロックの底面２６より略１／３の箇所より斜面を形成しながら上方に向かって突出形成されている。一方、正面の左右両端部分は底面２６より略１／３の箇所より斜面を形成しながら切削されて凹状部２２，２２を形成している。
【００２５】
かかる突出部２１が形成された反対側の背面においては、面の左右両端部分が上方において突出している。かかる突出した部分が本実施形態２における突出部２４，２４である。かかる突出部２４，２４は、上記正面の左右両端部分に形成された凹状部２２，２２と面接触することになる。また背面の中央部分はブロックの正面の中央部分の突出部２１と嵌合し得る形状の凹状部２５を形成している。
【００２６】
さらに、本実施形態２に係るコンクリートブロック２０の右側面の中央部分は上方において突出部２７を形成している。かかるコンクリートブロック２０の左側面の左右両端部分は上方において突出し、かつ中央部分２８が隣接するコンクリートブロックの右側面の中央部分の突出部２７と嵌合し得る形状の凹状を有する。
【図面の簡単な説明】
【００２７】
【図１】本考案に係る敷設又は法面用コンクリートブロックの一例を示す図である［（Ａ）は平面図であり、（Ｂ）は正面図であり、（Ｃ）は側面図である］。
【図２】本考案に係る敷設又は法面用コンクリートブロックを敷設した一例を示す平面図である。
【図３】本考案に係る敷設又は法面用コンクリートブロックの他の例を示す図である［（Ａ）は平面図であり、（Ｂ）は側面図である。］。
【図４】従来の敷設又は法面用コンクリートブロックの一例を示す図である。
【符号の説明】
【００２８】
１０，２０  敷設又は法面用コンクリートブロック
１１，２１  正面突出部
１２，２２  正面凹状部
１４，２４  背面突出部
１６，２６  底面
２７  側面突出部
２８  側面凹状部
【図１】
0003138736.tif 000003
【図２】
0003138736.tif 000004
【図３】
0003138736.tif 000005
【図４】
0003138736.tif 000006